(57)【要約】【課題】車両内で純正機器に加えて一つ又は複数の非純正機器を後付けする場合に、これらを集中制御することを可能とする車載機器の管理システムを提供する。【解決手段】車載機器の管理システム１に、純正機器１０と、非純正オーディオ機器２０ａ，２０ｂ等と、スピーカ７０と、表示器８０と、各機器とネットワークを介して互いに通信可能に接続され、純正機器１０又は非純正オーディオ機器２０ａ，２０ｂ等のいずれかから出力された音声信号又は映像信号をスピーカ７０又は表示器８０に出力するオーディオセレクタ６２及びビデオセレクタ６４と、純正機器１０又は非純正オーディオ機器２０ａ，２０ｂ等のいずれかを選択可能に構成された純正マルチディスプレイ１４ｂ又は表示器８０と、選択に従ってオーディオセレクタ６２又はビデオセレクタ６４の切り替え制御を行うＣＰＵ６１とを設ける。【選択図】図１
2007176292.tif 000002
【特許請求の範囲】
【請求項１】
純正機器と、
一つ又は複数の非純正機器と、
前記純正機器又は前記非純正機器からの出力信号に基づく再生を行う信号出力部と、
前記純正機器、前記非純正機器及び前記信号出力部とネットワークを介して互いに通信可能に接続され、前記純正機器又は前記非純正機器のいずれかの出力信号を前記信号出力部に出力するセレクタと、前記純正機器又は前記非純正機器のいずれかを選択可能に構成された操作部と、前記操作部で選択された前記純正機器又は前記非純正機器からの出力信号を出力させるように前記セレクタの切り替え制御を行う制御部とを備えた管理装置と、
を備えることを特徴とする車載機器の管理システム。
【請求項２】
前記非純正機器は映像信号を出力する非純正ビデオ機器であり、前記信号出力部は前記映像信号に基づく映像を表示する表示部であることを特徴とする請求項１記載の車載機器の管理システム。
【請求項３】
前記非純正機器は音声信号を出力する非純正オーディオ機器であり、前記信号出力部は前記音楽信号に基づく音楽を再生するスピーカであることを特徴とする請求項１記載の車載機器の管理システム。
【請求項４】
前記非純正機器の一部又は全部はリレーを介して接続された車両の外部機器であり、
前記管理装置は前記リレーの制御により前記外部機器の電源のＯＮ時間又はＯＦＦ時間を調整するリレー制御部を備えることを特徴とする請求項１〜請求項３いずれか一項に記載の車載機器の管理システム。
【請求項５】
前記純正機器はディスプレイを備え、
前記管理装置は、前記非純正機器の動作制御に関する指示入力を行うための操作ボタンを表示する操作ボタン信号を生成するＧＵＩ回路と、前記ＧＵＩ回路の出力信号を前記ディスプレイに出力するための第１の接点及び前記ＧＵＩ回路の出力信号を前記表示器に出力するための第２の接点を有するスイッチとを備え、前記制御部は前記スイッチの切り替えを制御して、前記操作ボタンを前記ディスプレイ又は前記表示器のいずれか一方に表示させることを特徴とする請求項２〜請求項４いずれか一項に記載の車載機器の管理システム。
【請求項６】
前記管理装置は、前記ディスプレイに表示された前記操作ボタンからの操作信号を前記純正機器に対応する操作信号から前記非純正機器に対応する操作信号に変換して前記制御部に出力する制御データ変換回路を備えることを特徴とする請求項５記載の車載機器の管理システム。
【発明の詳細な説明】
【技術分野】
【０００１】
本発明は車載機器の管理システムに関する。
【背景技術】
【０００２】
従来から、車載機器として様々な種類のオーディオ機器が開発されている。特に昨今では、ディスプレイ付きオーディオ機器が車載機器の代表例として挙げられる。
【０００３】
このようなディスプレイ付きオーディオ機器として、図３に示すように、純正ヘッドユニット１００ａ及び純正ディスプレイ１００ｂを備える純正ユニット１００、ナビゲーションコンピュータ１１０、エアコンディショニングコンピュータ１２０、その他コンピュータ１３０、アンプ１４０及びスピーカ１５０を備えて構成される純正オーディオ機器が知られている。図３に示すオーディオ機器では、純正ユニット１００においてナビゲーションコンピュータ１１０、エアコンディショニングコンピュータ１２０及びその他コンピュータ１３０を管理する構成となっている。
【０００４】
また、近年では、車載用のオーディオ機器の純正ヘッドユニットを、市販の非純正ヘッドユニットに交換して使用するオーディオ機器が提案されている。
【０００５】
例えば、特許文献１には、オーディオ、テレビジョン、カーナビゲーション、空気調節制御、映像ディスプレイ及びスイッチパネル等の各種エレクトロニクス機器をＬＡＮケーブルで接続して車内ＬＡＮを構築し、各構成部分が一台のヘッドユニット及びディスプレイにおいて管理されるオーディオ機器であって、純正ヘッドユニットを市販の非純正ヘッドユニットと交換して使用するための車載用オーディオアダプターが設けられたオーディオ機器が記載されている。
【特許文献１】特開２００２−３２１５７３号公報
【発明の開示】
【発明が解決しようとする課題】
【０００６】
しかしながら、特許文献１に記載の発明は、純正オーディオ機器の純正ヘッドユニットに替えて市販の非純正ヘッドユニットを使用するものであり、純正ヘッドユニットでは制御することのできない一つ又は複数の非純正オーディオ機器を後付けした場合、純正オーディオ機器から出力された音声信号及び各非純正オーディオ機器から出力された音声信号を一括して管理することができないという問題があった。
【０００７】
また、純正オーディオ機器のディスプレイから非純正オーディオ機器に関する指示入力を行ったとしても、純正オーディオ機器のヘッドユニットからの制御信号では非純正オーディオ機器の動作を制御することができないため、一つのヘッドユニット及びディスプレイにおいて純正オーディオ機器及び各非純正オーディオ機器を集中制御することができないという問題があった。
【０００８】
本発明は前記事情に鑑みてなされたものであり、その目的とするところは、車両内で純正機器に加えて一つ又は複数の非純正機器を後付けする場合に、これらの純正機器及び各非純正機器の出力信号又は動作制御を集中管理することを可能とする車載機器の管理システムを提供することにある。
【課題を解決するための手段】
【０００９】
前記課題を解決するために、請求項１に記載の発明は、車載機器の管理システムであって、純正機器と、一つ又は複数の非純正機器と、前記純正機器又は前記非純正機器からの出力信号に基づく再生を行う信号出力部と、前記純正機器、前記非純正機器及び前記信号出力部とネットワークを介して互いに通信可能に接続され、前記純正機器又は前記非純正機器のいずれかの出力信号を前記信号出力部に出力するセレクタと、前記純正機器又は前記非純正機器のいずれかを選択可能に構成された操作部と、前記操作部で選択された前記純正機器又は前記非純正機器からの出力信号を出力させるように前記セレクタの切り替え制御を行う制御部とを備えた管理装置と、を備えることを特徴とする。
【００１０】
請求項２記載の発明は、請求項１記載の車載機器の管理システムであって、前記非純正機器は映像信号を出力する非純正ビデオ機器であり、前記信号出力部は前記映像信号に基づく映像を表示する表示部であることを特徴とする。
【００１１】
請求項３記載の発明は、請求項１記載の車載機器の管理システムであって、前記非純正機器は音声信号を出力する非純正オーディオ機器であり、前記信号出力部は前記音楽信号に基づく音楽を再生するスピーカであることを特徴とする。
【００１２】
請求項４記載の発明は、請求項１〜請求項３いずれか一項に記載の車載機器の管理システムであって、前記非純正機器の一部又は全部はリレーを介して接続された車両の外部機器であり、前記管理装置は前記リレーの制御により前記外部機器の電源のＯＮ時間又はＯＦＦ時間を調整するリレー制御部を備えることを特徴とする。
【００１３】
請求項５記載の発明は、請求項２〜請求項４いずれか一項に記載の車載機器の管理システムであって、前記純正機器はディスプレイを備え、前記信号出力部には映像信号に基づく映像を表示する表示器が含まれ、前記管理装置は、前記非純正機器の動作制御に関する指示入力を行うための操作ボタンを表示する操作ボタン信号を生成するＧＵＩ回路と、前記ＧＵＩ回路の出力信号を前記ディスプレイに出力するための第１の接点及び前記ＧＵＩ回路の出力信号を前記表示器に出力するための第２の接点を有するスイッチとを備え、前記制御部は前記スイッチの切り替えを制御して、前記操作ボタンを前記ディスプレイ又は前記表示器のいずれか一方に表示させることを特徴とする。
【００１４】
請求項６記載の発明は、請求項５記載の車載機器の管理システムであって、前記管理装置は、前記ディスプレイに表示された前記操作ボタンからの操作信号を前記純正機器に対応する操作信号から前記非純正機器に対応する操作信号に変換して前記制御部に出力する制御データ変換回路を備えることを特徴とする。
【発明の効果】
【００１５】
本発明に係る車載機器の管理システムによれば、純正機器を備え、純正機器からの制御信号をそのまま入力するのみでは制御できない市販の非純正機器を後付けした車載機器の管理システムにおいて、セレクタによって純正機器の出力信号又は非純正機器の出力信号のいずれかを選択し、選択した音声信号を信号出力部から出力させることによって、純正機器及び非純正機器からの出力信号を一括管理することが可能となる。これにより、一つ又は複数の非純正機器を後付けする場合に、純正機器及び各非純正機器を一つの信号出力部で集中管理することが可能となる。
【発明を実施するための最良の形態】
【００１６】
［実施の形態］
以下、図面を参照しつつ、本発明の実施形態について説明する。
【００１７】
図１は、本実施形態に係る車載機器の管理システム１の全体構成を示すブロック図である。
【００１８】
図１に示すように、車載機器の管理システム１は、純正機器１０、非純正オーディオ機器２０ａ，２０ｂ、非純正ビデオ機器３０ａ，３０ｂ、リレー４０、その他の非純正機器５０、管理装置６０、信号出力部としての機能を果たすスピーカ７０及び表示器８０、リモートコントローラ９０を備えて構成されている。これらの各機器はネットワークを介して互いに通信可能となるように接続されており、車内ＬＡＮを構築している。
【００１９】
このように、車載機器の管理システム１は純正機器１０を備えているほか、純正機器１０からの制御信号をそのまま入力するのみでは制御できない市販の非純正オーディオ機器２０ａ，２０ｂ、非純正ビデオ機器３０ａ，３０ｂ及びその他の非純正機器５０が後付けされた構成となっている。
【００２０】
純正機器１０は、純正機器１０が搭載される車両と一体として構成される車載機器であり、ナビゲーションコンピュータ１１、エアコンディショニングコンピュータ１２、その他コンピュータ１３及び純正ユニット１４を備えて構成されている。
【００２１】
ナビゲーションコンピュータ１１は、ＮＡＶＳＴＡＲ（Navigation System using Timing And Ranging）等の人工衛星から送信されるＧＰＳ（Global Positioning System）信号を受信して、純正機器１０の現在位置（ナビゲーションコンピュータ１１を搭載した車両等の現在位置）を演算によって検出するようになっている。
【００２２】
また、ナビゲーションコンピュータ１１は、検出した現在位置データと図示しないメモリに記憶された地図データとを対応させて、車両の現在位置を表示する映像信号を生成して出力するようになっている。
【００２３】
また、ナビゲーションコンピュータ１１は、図示しない音声合成部を備えており、この音声合成部によって車両の現在位置を案内する音声信号を生成して出力するようになっている。なお、この音声信号は車両の現在位置を表す映像と連動して出力させてもよく、音声信号のみを独立して出力させてもよい。
【００２４】
エアコンディショニングコンピュータ１２は、車内の空気を循環させつつ熱交換することによって、車内の冷房や暖房を行うようになっており、純正ユニット１４からの指示信号により、図示しないエアコンディショニング装置の動作条件、例えば冷気強度、風量及び風向き等を制御するようになっている。
【００２５】
その他コンピュータ１３は、ナビゲーションコンピュータ１１又はエアコンディショニングコンピュータ１２以外の純正機器を動作制御するものであり、例えば、メンテナンス時期等の車両情報の管理や図示しないラジオユニットの制御等を行うようになっている。
【００２６】
純正ユニット１４は、純正ヘッドユニット１４ａ、純正マルチディスプレイ１４ｂを備えて構成されている。
【００２７】
このうち純正ヘッドユニット１４ａは、ＣＰＵ、ＲＡＭ及びＲＯＭを備えて構成されており、ＲＯＭに記録された処理プログラムをＲＡＭに展開して、ＣＰＵによってこの処理プログラムを実行することにより、純正機器１０の各構成部分を駆動制御するようになっている。
【００２８】
また、純正マルチディスプレイ１４ｂは、液晶，有機ＥＬ，プラズマ等のディスプレイによって構成されており、区分化された表示領域に複数の映像を表示するようになっている。
【００２９】
また、純正マルチディスプレイ１４ｂは、区分化された表示領域のうち少なくとも一つの領域に、純正機器１０であるナビゲーションコンピュータ１１、エアコンディショニングコンピュータ１２又はその他コンピュータ１３から出力された映像信号に基づく映像を表示するようになっている。例えば、ナビゲーションコンピュータ１１から送信されたナビゲーション画面等を表示するようになっている。
【００３０】
また、純正マルチディスプレイ１４ｂは、操作部としての機能を果たすようになっており、区分化された表示領域のうち少なくとも一つの領域はタッチパネルとして構成され、純正機器１０の各構成部分についての設定画面を表示するようになっている。
【００３１】
次に、非純正オーディオ機器２０ａ，２０ｂは、車両と一体として構成された純正機器１０とは別に、ユーザによって車両内に後付けされた市販のオーディオ機器であり、例えば、オーディオプレーヤー等によって構成される。
【００３２】
また、非純正ビデオ機器３０ａ，３０ｂは、同様にユーザによって車両内に後付けされた市販のビデオ機器であり、例えば、カーナビゲーション装置やカーＤＶＤプレイヤー等によって構成される。
【００３３】
次に、リレー４０は、その他の非純正機器５０と管理装置６０との接続手段であって、管理装置６０から出力された電気信号を受けて、その他の非純正機器５０の駆動に必要な動作電気信号を送信するようになっている。
【００３４】
また、その他の非純正機器５０は、ユーザによって車両外に後付けされた市販の外部機器であって、例えば、リアモニタ、ガレージ用リモートコントローラ又はフォグランプ等によって構成される。
【００３５】
次に、管理装置６０は、ＣＰＵ６１、オーディオセレクタ６２、アンプ６３、ビデオセレクタ６４及びリレー制御部６５を備えて構成されている。
【００３６】
ＣＰＵ６１は、表示器８０からの入力信号を受けて、オーディオセレクタ６２及びビデオセレクタ６４の動作に関する設定を行うようになっている。
【００３７】
すなわち、ＣＰＵ６１は、オーディオセレクタ６２に純正機器１０からの音声信号又は非純正オーディオ機器２０ａ，２０ｂからの音声信号のいずれかを選択させるように制御するようになっている。
【００３８】
また、ＣＰＵ６１は、ビデオセレクタ６４に純正機器１０からの映像信号又は非純正ビデオ機器３０ａ，３０ｂからの映像信号のいずれかを選択させるように制御するようになっている。
【００３９】
オーディオセレクタ６２は、ＣＰＵ６１の制御により、オーディオ再生時に純正ヘッドユニット１４ａから入力される音声信号又は非純正オーディオ機器２０ａ，２０ｂから入力される音声信号のいずれかを選択し、選択した音声信号を、アンプ６３を介してスピーカ７０に出力するようになっている。
【００４０】
アンプ６３は、オーディオセレクタ６２からの出力信号を所定の規定レベルに増幅してスピーカ７０に出力するようになっている。
【００４１】
ビデオセレクタ６４は、ＣＰＵ６１の制御により、ビデオ再生時に純正ヘッドユニット１４ａから入力される映像信号又は非純正ビデオ機器３０ａ，３０ｂから入力される映像信号のいずれかを選択し、選択した映像信号を表示器８０に出力するようになっている。
【００４２】
リレー制御部６５は、ＣＰＵ６１からの制御信号に従って、リレー４０の起動を制御するようになっている。これにより、リレー４０に接続されたその他の非純正機器５０について、図示しない電源のＯＮ／ＯＦＦ操作を自動的に行うことが可能となっている。
【００４３】
また、本実施形態のリレー制御部６５は、リレー４０の制御により、その他の非純正機器５０の電源のＯＮ時間／ＯＦＦ時間を調整するようになっている。これにより、その他の非純正機器５０の電源がＯＦＦとされた後、所定時間の経過後に自動的に電源をＯＮとするウェイクアップタイマー機能や、その逆に、電源がＯＮとされた後、所定時間の経過後に自動的に電源をＯＦＦとするスリープタイマー機能を果たすようになっている。
【００４４】
次に、スピーカ７０は、オーディオセレクタ６２により選択され、アンプ６３により増幅された純正機器１０又は非純正ビデオ機器３０ａ，３０ｂからの音声信号に基づいて音声を再生するようになっている。
【００４５】
表示器８０は、液晶，有機ＥＬ，プラズマ等のディスプレイであって、タッチパネルとして構成され、操作部としての機能を果たすようになっている。なお、表示器８０は区分化された表示領域に複数の映像を表示するマルチディスプレイとして構成してもよい。また、表示器８０は、図示しない赤外線通信部を備えており、リモートコントローラ９０からの指示信号を受信することが可能となっている。
【００４６】
また、表示器８０は、オーディオセレクタ６２及びビデオセレクタ６４の設定に関する設定画面を表示するようになっている。
【００４７】
すなわち、表示部８０の設定画面において、オーディオセレクタ６２の選択により純正機器１０からの音声信号又は非純正オーディオ機器２０ａ，２０ｂからの音声信号のいずれをスピーカ７０で再生させるかを選択することができるようになっている。
【００４８】
また、表示器８０の設定画面において、ビデオセレクタ６４の選択により純正機器１０からの映像信号又は非純正ビデオ機器３０ａ，３０ｂからの映像信号のいずれを表示器８で再生させるかを選択することができるようになっている。
【００４９】
また、表示器８０は、非純正オーディオ機器２０ａ，２０ｂ又は非純正ビデオ機器３０ａ，３０ｂの動作制御に関する設定画面を表示するようになっている。
【００５０】
また、表示器８０は、リレー制御部６５のウェイクアップタイマー機能やスリープタイマー機能に関する設定画面を表示するようになっている。すなわち、表示器８０の設定画面において、その他の非純正機器５０のウェイクアップ時間やスリープ時間を設定することにより、その他の非純正機器５０のＯＮ／ＯＦＦ動作を制御することが可能となっている。
【００５１】
また、表示器８０は、ビデオセレクタ６４により選択された純正機器１０又は非純正ビデオ機器３０ａ，３０ｂからの映像信号に基づいて映像を再生するようになっている。
【００５２】
リモートコントローラ９０は、図示しない操作ボタンを備えており、この操作ボタンの押下によって種々の指示入力を行うことが可能となっている。また、リモートコントローラ９０は、図示しない赤外線通信部を備えており、表示器８０が備える図示しない赤外線通信部と赤外線通信を行うことにより、入力された指示信号を表示器８０に送信するようになっている。
【００５３】
次に、本実施形態に係る車載機器の管理システム１の動作について説明する。
【００５４】
表示器８０の設定画面において、純正機器１０又は非純正オーディオ機器２０ａ，２０ｂのいずれから出力された音声信号をスピーカ７０で再生させるかが選択されると、ＣＰＵ６１はその選択に応じてオーディオセレクタ６２を動作制御する。
【００５５】
また、表示器８０の設定画面において、純正機器１０又は非純正ビデオ機器３０ａ，３０ｂのいずれから出力された映像信号を表示器８０に表示させるかが選択されると、ＣＰＵ６１はその選択に応じてビデオセレクタ６４を動作制御する。
【００５６】
なお、表示器８０の設定画面における指示入力は、リモートコントローラ９０を使用して行うことも可能である。
【００５７】
次に、純正マルチディスプレイ１４ｂの設定画面から純正機器１０の操作に関する指示信号が入力されると、純正ヘッドユニット１４ａはその指示信号に従って、ナビゲーションコンピュータ１１、エアコンディショニングコンピュータ１２又はその他コンピュータ１３を駆動制御する。
【００５８】
続いて、ナビゲーションコンピュータ１１、エアコンディショニングコンピュータ１２又はその他コンピュータ１３から車両の現在位置を表示する映像信号等の映像信号が出力されると、純正マルチディスプレイ１４ｂは、その映像信号に基づく映像を再生する。また、純正ヘッドユニット１４ａはその映像信号をオーディオセレクタ６２に入力させる。
【００５９】
また、ナビゲーションコンピュータ１１、エアコンディショニングコンピュータ１２又はその他コンピュータ１３から車両の現在位置を案内する音声信号等の音声信号が出力されると、純正ヘッドユニット１４ａはその音声信号をビデオセレクタ６４に入力させる。
【００６０】
一方、表示器８０の設定画面から非純正オーディオ機器２０ａ，２０ｂ又は非純正ビデオ機器３０ａ，３０ｂの動作制御に関する指示入力がされると、ＣＰＵ６１はその指示信号に従って、非純正オーディオ機器２０ａ，２０ｂ又は非純正ビデオ機器３０ａ，３０ｂを駆動制御する。
【００６１】
続いて、非純正オーディオ機器２０ａ，２０ｂから音声信号が出力されると、その音声信号はオーディオセレクタ６２に入力される。
【００６２】
また、非純正ビデオ機器３０ａ，３０ｂからＤＶＤ等の映像信号が出力されると、その映像信号はビデオセレクタ６４に入力される。
【００６３】
次に、オーディオセレクタ６２は、ＣＰＵ６１の制御により、純正ヘッドユニット１４ａから入力された音声信号又は非純正オーディオ機器２０ａ，２０ｂから入力される音声信号のいずれかを選択し、選択した音声信号を、アンプ６３を介してスピーカ７０で再生させる。
【００６４】
また、ビデオセレクタ６４は、ＣＰＵ６１の制御により、純正ヘッドユニット１４ａから入力された映像信号又は非純正ビデオ機器３０ａ，３０ｂから入力される映像信号のいずれかを選択し、選択した映像信号を表示器８０で再生させる。
【００６５】
更に、表示器８０の設定画面において、その他の非純正機器５０のウェイクアップ時間やスリープ時間等の設定が行われると、リレー制御部６５はＣＰＵ６１からの制御信号に従ってリレー４０を制御し、その他の非純正機器５０のＯＮ時間／ＯＦＦ時間を調整することにより、その他の非純正機器５０のウェイクアップタイマー機能やスリープタイマー機能を果たす。
【００６６】
以上のように、本実施形態に係る車載機器の管理システム１によれば、純正機器１０からの制御信号をそのまま入力するのみでは制御できない市販の非純正オーディオ機器２０ａ，２０ｂを後付けした車載機器の管理システム１において、オーディオセレクタ６２によって純正機器１０又は非純正オーディオ機器２０ａ，２０ｂから出力された音声信号のいずれかを選択し、選択した音声信号をスピーカ７０で再生させることにより、純正機器１０及び非純正オーディオ機器２０ａ，２０ｂの出力信号を一つのスピーカ７０で集中管理することが可能となる。
【００６７】
また、市販の非純正ビデオ機器３０ａ，３０ｂを後付けした車載機器の管理システム１において、ビデオセレクタ６４によって純正機器１０又は非純正ビデオ機器３０ａ，３０ｂから出力された映像信号のいずれかを選択し、選択した映像信号を表示器８０で再生させることにより、純正機器１０及び非純正ビデオ機器３０ａ，３０ｂの出力信号を一つの表示器８０で集中管理することが可能となる。
【００６８】
また、リレー制御により車両の外部機器であるその他の非純正機器５０の電源のＯＮ時間及びＯＦＦ時間を調整することによって、その他の非純正機器５０にウェイクアップタイマー機能やスリープタイマー機能を持たせることが可能となる。
【００６９】
［実施形態の変形例］
次に、上記実施形態の変形例について、図２を参照して説明する。なお、上記実施形態と同様の構成要素には同一の符号を付し、その説明を省略する。
【００７０】
本変形例の管理装置６０には、制御データ変換回路６６、ＧＵＩ回路６７及びスイッチＳＷ６８が備えられている。
【００７１】
制御データ変換回路６６は、純正マルチディスプレイ１４ｂの設定画面から入力された純正機器１０に対応する指示信号を、非純正オーディオ機器２０ａ，２０ｂ、非純正ビデオ機器３０ａ，３０ｂ又はその他の非純正機器５０に対応する指示信号に変換するようになっている。
【００７２】
ＧＵＩ（Graphical User Interface）回路２７は、非純正オーディオ機器２０ａ，２０ｂ、非純正ビデオ機器３０ａ，３０ｂ又はその他の非純正機器５０の動作制御に関する指示入力を行うための操作ボタンを表示する操作ボタン信号を生成するようになっている。
【００７３】
また、ＧＵＩ回路６７は、スイッチＳＷ６８の動作状態に応じて、操作ボタン信号を純正マルチディスプレイ１４ｂ又はビデオセレクタ６４に出力するようになっている。
【００７４】
スイッチＳＷ６８は、ＧＵＩ回路６７の出力信号を純正マルチディスプレイ１４ｂに出力するための第１の接点である接点ａと、ＧＵＩ回路６７の出力信号を表示器８０に出力するための第２の接点である接点ｂとを備え、ＣＰＵ６１からの指示信号によって、接続先を接点ａ又は接点ｂに切り替えるようになっている。
【００７５】
これにより、スイッチＳＷ６８が接点ａに接続されると、純正マルチディスプレイ１４ｂに上記の操作ボタンが表示され、スイッチＳＷ６８が接点ｂに接続されると、表示器８０に上記の操作ボタンが表示されるようになっている。
【００７６】
また、本変形例の表示器８０には、非純正オーディオ機器２０ａ，２０ｂ、非純正ビデオ機器３０ａ，３０ｂ又はその他の非純正機器５０の動作制御に関する指示入力を行うための操作ボタンを、純正マルチディスプレイ１４ｂ又は表示器８０のいずれに表示させるかを選択するための選択ボタンが表示されるようになっている。
【００７７】
また、本変形例のＣＰＵ６１は、表示器８０からの指示信号に従い、操作ボタンの表示先として純正マルチディスプレイ１４ｂが選択された場合は、スイッチＳＷ６８を接点ａに接続させるようになっている。また、操作ボタンの表示先として表示器８０が選択された場合は、スイッチＳＷ６８を接点ｂに接続させるようになっている。
【００７８】
次に、本実施形態に係る車載機器の管理システム１の動作について説明する。
【００７９】
表示器８０において、選択ボタンの押下により操作ボタンの表示先として純正マルチディスプレイ１４ｂが選択されると、ＣＰＵ６１はスイッチＳＷ６８を接点ａに接続する。
【００８０】
一方、選択ボタンの押下により操作ボタンの表示先として表示器８０が選択されると、ＣＰＵ６１はスイッチＳＷ６８を接点ｂに接続する。
【００８１】
次に、ＧＵＩ回路６７は、ＣＰＵ６１の指示信号により、非純正オーディオ機器２０ａ，２０ｂ、非純正ビデオ機器３０ａ，３０ｂ又はその他の非純正機器５０の動作制御に関する指示入力を行うための操作ボタンを表示する操作ボタン信号を出力する。
【００８２】
このとき、スイッチＳＷ６８が接点ａに接続されていると、操作ボタン信号は純正マルチディスプレイ１４ｂに出力され、純正マルチディスプレイ１４ｂに操作ボタンが表示される。また、スイッチＳＷ６８が接点ｂに接続されていると、操作ボタン信号はビデオセレクタ６４を介して表示器８０に出力され、表示器８０に操作ボタンが表示される。
【００８３】
次に、純正マルチディスプレイ１４ｂに表示された操作ボタンが押下されると、制御データ変換回路６６は、非純正オーディオ機器２０ａ，２０ｂ、非純正ビデオ機器３０ａ，３０ｂ又はその他の非純正機器５０の動作制御に関する指示信号を、純正機器１０に対応する指示信号から非純正オーディオ機器２０ａ，２０ｂ、非純正ビデオ機器３０ａ，３０ｂ又はその他の非純正機器５０に対応する指示信号に変換して、ＣＰＵ６１に出力する。
【００８４】
以上のように、本変形例に係る車載機器の管理システム１によれば、非純正オーディオ機器２０ａ，２０ｂ、非純正ビデオ機器３０ａ，３０ｂ又はその他の非純正機器５０の動作制御に関する指示入力を行うための操作ボタンを、スイッチＳＷ６８の切り替えにより純正マルチディスプレイ１４ｂ又は表示器８０のいずれか一方に表示させることにより、純正機器１０の純正マルチディスプレイ１４ｂにおいて非純正オーディオ機器２０ａ，２０ｂ、非純正ビデオ機器３０ａ，３０ｂ又はその他の非純正機器５０の動作制御に関する指示入力を行うことが可能となる。
【００８５】
また、純正機器１０の純正マルチディスプレイ１４ｂに表示された操作ボタンが押下された場合は、その操作信号を純正機器１０に対応する操作信号から非純正オーディオ機器２０ａ，２０ｂ、非純正ビデオ機器３０ａ，３０ｂ又はその他の非純正機器５０に対応する操作信号に変換してＣＰＵ６１に出力させることにより、純正機器１０からの入力によって非純正オーディオ機器２０ａ，２０ｂ、非純正ビデオ機器３０ａ，３０ｂ又はその他の非純正機器５０を制御することが可能となる。
【００８６】
以上詳細に説明したように、本発明の車載機器の管理システムによれば、車両内で純正機器に加えて一つ又は複数の非純正機器を後付けして使用する場合に、これらの純正機器及び各非純正機器を集中管理することが可能となる。
【図面の簡単な説明】
【００８７】
【図１】本実施形態に係る車載機器の管理システムの全体構成を示すブロック図である。
【図２】本実施形態の変形例に係る車載機器の管理システムの全体構成を示すブロック図である。
【図３】従来の車載機器の管理システムの全体構成を示すブロック図である。
【符号の説明】
【００８８】
１  車載機器の管理システム
１０  純正機器
１１  ナビゲーションコンピュータ
１２  エアコンディショニングコンピュータ
１３  その他コンピュータ
１４  純正ユニット
１４ａ  純正ヘッドユニット
１４ｂ  純正マルチディスプレイ
２０ａ，２０ｂ非純正オーディオ機器
３０ａ，３０ｂ非純正ビデオ機器
４０  リレー
５０  その他の非純正機器
６０  管理装置
６１  ＣＰＵ
６２  オーディオセレクタ
６３  アンプ
６４  ビデオセレクタ
６５  リレー制御部
６６  制御データ変換回路
６７  ＧＵＩ回路
６８  スイッチＳＷ
７０  スピーカ
８０  表示器
９０  リモートコントローラ
【図１】
2007176292.tif 000003
【図２】
2007176292.tif 000004
【図３】
2007176292.tif 000005